(57)【要約】【課題】落下などの衝撃により、充電池がずれたり、浮いたりするのを防止する。【解決手段】矩形板状の充電池６を収容する充電池収容凹部の上側面１０ａに充電池６を押さえ付けながら電気的に接続する圧縮式接続端子８を設ける。充電池収容凹部の上側面１０ａ及び下側面１０ｂに凹部１１を設け、充電池６の上面６ａ及び下面６ｂに凹部１１に係合する凸部１２を設ける。充電池６の上面６ａと充電池収容凹部１０の上側面１０ａとの間に充電池保持用スペーサ７が挟持された状態で全ての凸部１２を対応する凹部１１に係合させる。【選択図】図１
2014053789.tif 000002
【特許請求の範囲】
【請求項１】
矩形板状の充電池と、
上記充電池を収容する充電池収容凹部と、
上記充電池収容凹部の一側面に設けられ、上記充電池を押さえ付けながら電気的に接続する圧縮式接続端子と、
上記充電池収容凹部の一側面及び該一側面と反対側の反対側面に設けられた被係合部と、
上記充電池の一側面に設けられ、上記圧縮式接続端子に接続される充電端子と、
上記充電池の一側面及び該一側面と反対側の反対側面に設けられ、上記被係合部に係合する係合部と、
上記充電池の一側面と上記上記充電池収容凹部の一側面との間に挟持される充電池保持用スペーサとを備え、
上記充電池保持用スペーサが挟持された状態で、全ての上記係合部が対応する上記被係合部に係合している
ことを特徴とする携帯端末。
【請求項２】
請求項１に記載の携帯端末において、
上記充電池保持用スペーサは、上記充電池が上記充電池収容凹部に収容されているときに該充電池がスライドしてずれるのを防止し、該充電池収容凹部から引き抜かれた後、該充電池がスライドして外れるのを許容する厚さに設定されている
ことを特徴とする携帯端末。
【発明の詳細な説明】
【技術分野】
【０００１】
本発明は、充電池を有する携帯端末に関するものである。
【背景技術】
【０００２】
従来より、携帯電話機に代表される携帯端末では、充電池の片側の端面に腕片を設け、充電池を電池収容部に挿入するときに、腕片と本体側の凹部とが係合することによって、片側で充電池の浮きを規制するものが知られている（例えば、特許文献１）。この携帯端末では、充電池を本体に挿入する際に、腕片側から凹部に向けて挿入し、圧縮式接続端子の弾性力によって、充電池を収容凹部の反対側側面へ押圧することで、充電池を本体から浮かないように構成している。また、充電池を取り外す際は、弾性力に抗して充電池を押圧して圧縮式接続端子側から充電池を持ち上げることにより、充電池を取り外すことができるようになっている。
【先行技術文献】
【特許文献】
【０００３】
【特許文献１】特開２００８−５２７１号公報
【発明の概要】
【発明が解決しようとする課題】
【０００４】
しかしながら、従来の携帯端末では、充電池の片側のみで、充電池側の腕片と電池収容凹部側の凹部によって充電池を本体から浮かないように構成しているが、端子バネによって押される反対側では、充電池を出し入れ可能とするためには同様の凹凸構造が取れない。このため、落下などの衝撃の場合に、充電池がバネ圧に抗してずれた場合は、前後の両側において充電池が浮く危険性がある。
【０００５】
充電池が浮いた場合には、通常なら電池蓋が撓んで電池蓋を基の位置に戻すように構成したり、電池蓋が外れることによって本体内部にストレスがかからないように構成したりしている。
【０００６】
しかし、例えば充電池と電池蓋の間を防水用のテープなどで接着する場合などは、充電池が少しでも浮くとテープが破れ、防水機能が損なわれるという問題がある。
【０００７】
本発明は、かかる点に鑑みてなされたものであり、その目的とするところは、落下などの衝撃により、充電池がずれたり、浮いたりするのを防止することにある。
【課題を解決するための手段】
【０００８】
上記の目的を達成するために、この発明では、矩形板状の充電池の対向する両側面の係合部が充電池収容凹部の被係合部に対して係合した状態でスペーサを挟むようにした。
【０００９】
具体的には、第１の発明の携帯端末は、
矩形板状の充電池と、
上記充電池を収容する充電池収容凹部と、
上記充電池収容凹部の一側面に設けられ、上記充電池を押さえ付けながら電気的に接続する圧縮式接続端子と、
上記充電池収容凹部の一側面及び該一側面と反対側の反対側面に設けられた被係合部と、
上記充電池の一側面に設けられ、上記圧縮式接続端子に接続される充電端子と、
上記充電池の一側面及び該一側面と反対側の反対側面に設けられ、上記被係合部に係合する係合部と、
上記充電池の一側面と上記上記充電池収容凹部の一側面との間に挟持される充電池保持用スペーサとを備え、
上記充電池保持用スペーサが挟持された状態で、全ての上記係合部が対応する上記被係合部に係合している。
【００１０】
上記の構成によると、充電池の一側面が圧縮式接続端子で押圧された状態で充電池の対向する側面の係合部も充電池収容凹部の被係合部に係合するので、衝撃を受けても充電池が浮き上がらない。そして、充電池保持用スペーサがあるので、衝撃を受けたときに充電池がスライドしてずれるのが防止される。このため、例えば充電池と電池蓋との間を防水用のテープなどで接着する場合などは、落下等の衝撃時においても、充電池が確実に浮かないため、テープが破れる等により防水機能が損なわれる心配がない。
【００１１】
第２の発明では、第１の発明に加え、
上記充電池保持用スペーサは、上記充電池が上記充電池収容凹部に収容されているときに該充電池がスライドしてずれるのを防止し、該充電池収容凹部から引き抜かれた後、該充電池がスライドして外れるのを許容する厚さに設定されている。
【００１２】
上記の構成によると、充電池保持用スペーサが挟持されているときには、充電池をスライドさせて取り出すことはできないが、充電池を取り外す際には、充電池保持用スペーサを抜き取り、その後は圧縮式接続端子の弾性力に抗して充電池をスライドさせ、反対側面から充電池を持ち上げることにより電池を取り外すことができる。
【発明の効果】
【００１３】
以上説明したように、本発明によれば、充電池保持用スペーサを追加するだけで、落下等の衝撃を受けた場合でも、充電池のずれ及び浮きを確実に防止することができる。
【図面の簡単な説明】
【００１４】
【図１】本発明の実施形態に係る携帯電話機を背面側から見た分解斜視図である。
【図２】携帯電話機を正面側から見た斜視図である。
【図３】携帯電話機を背面側から見た斜視図である。
【図４】リアカバーを外した状態の携帯電話機を示す背面図である。
【図５】充電池及び充電池保持用スペーサを示す斜視図である。
【図６】充電池保持用スペーサ及びその周辺を拡大して示す斜視図である。
【図７】圧縮式接続端子、充電池保持用スペーサ及びその周辺を拡大して示す斜視図である。
【図８】下面側の凹部及びその周辺を拡大して示す斜視図である。
【図９】充電池を拡大して示し、（ａ）が上側から見た斜視図で、（ｂ）が下側から見た斜視図で、（ｃ）が正面図である。
【図１０】凸部、凹部及び充電池保持用スペーサの寸法関係を説明する断面図である。
【発明を実施するための形態】
【００１５】
以下、本発明の実施形態を図面に基づいて説明する。図１は、本発明の実施形態に係る携帯端末としての携帯電話機１の分解斜視図であり、図２は、この携帯電話機１を正面側から見た斜視図であり、図３は、携帯電話機１を背面側から見た斜視図である。携帯電話機１は、正面側に液晶ディスプレイなどの表示部２を有し、この表示部２は、正面側キャビネット３の正面側に嵌め込まれている。正面側キャビネット３の背面は、背面側キャビネット４で覆われ、その裏側が矩形皿状のリアカバー５で覆われている。
【００１６】
図４は、リアカバー５を外した状態の携帯電話機１を示す背面図であり、背面側キャビネット４の背面に形成した、背面から見て矩形状の充電池収容凹部１０には、矩形板状の充電池６が収容されている。
【００１７】
図５は、充電池及び充電池保持用スペーサを示す斜視図である。図６は、充電池保持用スペーサ及びその周辺を拡大して示す斜視図である。図７は、圧縮式接続端子、充電池保持用スペーサ及びその周辺を拡大して示す斜視図である。図８は、下面側の凹部及びその周辺を拡大して示す斜視図である。充電池収容凹部１０の上側面１０ａには、上下方向に伸縮する圧縮式接続端子８が装着されている。この圧縮式接続端子８は、充電池６の上側面に設けた充電端子９に対して下方へ押さえ付けながら電気的に接続するようになっている。本実施形態では、この圧縮式接続端子８は、例えば６本のピン状の伸縮式の端子よりなり、図示しない弾性部材により、押し込まれると元に長さに戻るように下方へ付勢されている。そして、充電池収容凹部１０の一側面としての上側面１０ａと、反対側面としての下側面１０ｂとには、被係合部としての凹部１１が左右に所定の間隔をあけて凹陥されている。
【００１８】
図９は、充電池６を拡大して示し、（ａ）が上側から見た斜視図で、（ｂ）が下側から見た斜視図で、（ｃ）が正面図である。充電池６の上面６ａには、充電用の充電端子９を挟むように左右に間隔をあけて係合部として凸部１２が突設されている。同様に充電池６の下面６ｂにも左右に間隔をあけて凸部１２が突設されている。各凸部１２は、先端に向かって正面側に向かう傾斜面１２ａが形成されている。
【００１９】
図１０は、凸部１２、凹部１１及び充電池保持用スペーサ７の寸法関係を説明する断面図である。充電池６の上面６ａと充電池収容凹部１０の上側面１０ａとの間には、一対の凸部１２間の長さにほぼ等しい長さを有する板状の充電池保持用スペーサ７が挿入されている。充電池保持用スペーサ７の左右端部には、切欠７ａが形成され、この切欠７ａに爪を掛ける等により、引き抜きしやすくなっている。この充電池保持用スペーサ７が挟持された状態では、充電池６は、圧縮式接続端子８に押圧されて上面６ａと上側面１０ａとの間の隙間Ｌ１が大きくなり、下面６ｂと下側面１０ｂとの間の隙間Ｌ２は、ほぼ０となる。上側の凸部１２の高さをＨ１とし、下側の凸部１２の高さをＨ２とし、充電池保持用スペーサ７の厚さをｔとすると、Ｈ１，Ｈ２＞Ｌ１＋Ｌ２−ｔが成り立つので、充電池保持用スペーサ７が挿入された状態では、充電池６を上下方向にスライドさせても、いずれの凸部１２も凹部１１から完全に抜け出ることはない。
【００２０】
一方、Ｈ１，Ｈ２＜Ｌ１＋Ｌ２が成り立つので、充電池保持用スペーサ７を正面側に抜き出すと、充電池６を上下方向にスライドさせるスペースが確保でき、凸部１２が凹部１１から完全に抜け出すようになっている。
【００２１】
このように構成したので、充電池６の上面６ａが圧縮式接続端子８で押圧された状態で充電池６の対向する側面の凸部１２が充電池収容凹部１０の凹部１１に係合するので、衝撃を受けても充電池６が浮き上がらない。そして、充電池保持用スペーサ７があるので、衝撃を受けたときに充電池６がスライドしてずれるのが防止される。
【００２２】
さらに、充電池保持用スペーサ７が挟持されているときには、充電池６をスライドさせて取り出すことはできないが、充電池６を取り外す際には、充電池保持用スペーサ７を抜き取り、その後は圧縮式接続端子８の弾性力に抗して充電池６を上方へスライドさせ、下面６ｂ側から充電池６を持ち上げることにより充電池６を取り外すことができる。
【００２３】
したがって、本実施形態に係る携帯端末によると、充電池保持用スペーサ７を追加するだけで、落下等の衝撃を受けた場合でも、充電池６のずれ及び浮きを確実に防止することができる。
【００２４】
（その他の実施形態）
本発明は、上記実施形態について、以下のような構成としてもよい。
【００２５】
すなわち、上記実施形態では、充電池収容凹部１０の上側面１０ａ及び下側面１０ｂに凹部１１を設けたが、左側面及び右側面に設けてもよい。
【００２６】
また、上記実施形態では、充電池６側に凸部１２を設け、充電池収容凹部１０側に凹部１１を設けたが、逆に充電池６側に凹部１１を設け、充電池収容凹部１０側に凸部１２を設けてもよい。
【００２７】
さらに、充電池６とリアカバー５との間を防水用のテープなどで接着してもよい。この場合も本発明が適用でき、落下等の衝撃時においても、充電池６が浮くのを確実に防止できるため、テープが破れる等により防水機能が損なわれる心配がない。
【００２８】
また、上記実施形態では、携帯端末は、携帯電話機１としたが、充電池６を有する者であれば、ＰＨＳ（Personal Handy-phone System ）、ＰＤＡ(Personal Digital Assistant)、スマートフォン、パソコン、モバイルツール、電子辞書、電卓、ゲーム機等であってもよい。
【００２９】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【産業上の利用可能性】
【００３０】
以上説明したように、本発明は、充電池を有する携帯電話機などの携帯端末について有用である。
【符号の説明】
【００３１】
１      携帯電話機（携帯端末）
２      表示部
３      正面側キャビネット
４      背面側キャビネット
５      リアカバー
６      充電池
６ａ    上面（一側面）
６ｂ    下面（反対側面）
７      充電池保持用スペーサ
８      圧縮式接続端子
９      充電端子
１０      充電池収容凹部
１０ａ    上側面（一側面）
１０ｂ    下側面（反対側面）
１１      凹部
１２      凸部
１２ａ    傾斜面
【図１】
2014053789.tif 000003
【図２】
2014053789.tif 000004
【図３】
2014053789.tif 000005
【図４】
2014053789.tif 000006
【図５】
2014053789.tif 000007
【図６】
2014053789.tif 000008
【図７】
2014053789.tif 000009
【図８】
2014053789.tif 000010
【図９】
2014053789.tif 000011
【図１０】
2014053789.tif 000012